(57)【要約】【課題】コード情報を画像化したコード画像を含む画像データを送受信する際、ユーザはコード画像の有無を意識することなく画像データを送信できて操作性がよく、受信したコード画像からコード情報を正確に復号できて信頼性も高いファクシミリ装置を提供する。【解決手段】ファクシミリ装置１００は、コード情報を画像化したコード画像を含む画像データからコード画像を判別する判別部１０７と、画像データを送信する送信部１１１と、コード画像が含まれていると判別されたとき、コード画像を送信先で復号可能に取得できるようにする所定の指示情報を送信先に通知する通知部１０９と、を備える。【選択図】図１
2008294709.tif 000002
【特許請求の範囲】
【請求項１】
コード情報を画像化したコード画像を含む画像データから前記コード画像を判別する判別部と、
前記画像データを送信する送信部と、
前記コード画像が含まれていると判別されたとき、前記コード画像を送信先で復号可能に取得できるようにする所定の指示情報を前記送信先に通知する通知部と、を備えるファクシミリ装置。
【請求項２】
請求項１に記載のファクシミリ装置において、
前記指示情報は、前記画像データに前記コード画像が含まれていることを示す第１の情報を含むファクシミリ装置。
【請求項３】
請求項１に記載のファクシミリ装置において、
前記指示情報は、前記画像データは所定の画像処理が禁止であることを指示する第２の情報を含むファクシミリ装置。
【請求項４】
請求項１に記載のファクシミリ装置において、
前記指示情報は、前記画像データに含まれる前記コード画像の印字サイズを指示する第３の情報を含むファクシミリ装置。
【請求項５】
請求項１乃至４いずれかに記載のファクシミリ装置において、
前記画像データから前記コード画像を抽出する抽出部を備え、
前記判別部は、前記抽出部が前記コード画像を抽出したとき、前記コード画像が含まれていると判別するファクシミリ装置。
【請求項６】
請求項１乃至５いずれかに記載のファクシミリ装置において、
コード情報を画像化してコード画像を生成し、前記画像データに埋め込む生成部をさらに備え、
前記判別部は、前記生成部が前記コード画像を前記画像データに埋め込んだとき、前記コード画像が含まれていると判別するファクシミリ装置。
【請求項７】
請求項１乃至６いずれかに記載のファクシミリ装置から画像データを受信する画像データ受信部と、
前記画像データに含まれるコード画像を復号可能に取得できるようにする所定の指示情報を受信する指示受信部と、
前記指示情報に基づいて、前記画像データに含まれるコード画像を復号可能に取得する取得部と、を備えるファクシミリ装置。
【発明の詳細な説明】
【技術分野】
【０００１】
本発明は、ファクシミリ装置に関し、特に、コード情報を画像化したコード画像を含む画像データを送受信できるファクシミリ装置に関する。
【背景技術】
【０００２】
従来のファクシミリ装置としては、例えば特許文献１に記載されたものがある。同文献に記載されたファクシミリ装置は、受信側で、画像データを受信する際、送信側のファクシミリに対し、画像データの加工、たとえば、縮小／変倍などを行わないで送信することを通知することにより、オリジナルに近く電子文書として扱いやすい画像データを取得するものである。
【特許文献１】特開２００２−１７６５４４号公報
【発明の開示】
【発明が解決しようとする課題】
【０００３】
ところで、画像データにＱＲ（Quick Response）コードなどのコード画像が含まれている場合、たとえば、受信側の用紙サイズが送信側の読み取りサイズより小さい場合に、受信側で自動縮小などの処理が行われると、コード画像の画質が劣化し、コード情報が復号できなくなってしまう可能性がある。すなわち送信側では、コード画像が復号可能な画質で送信していたとしても、受信側で画質を劣化させてしまう可能性があった。また、受信側の用紙サイズが短い場合に、コード画像の途中でページが切れてしまう危険性もある。従来の装置において、送信時に対応しようとすると、コード画像のみをわざわざ取り出して、高画質で送信するなど手間がかかる。
【０００４】
本発明は上記事情に鑑みてなされたものであり、その目的とするところは、コード情報を画像化したコード画像を含む画像データを送受信する際、ユーザはコード画像の有無を意識することなく画像データを送信できて操作性がよく、受信したコード画像からコード情報を正確に復号できて信頼性も高いファクシミリ装置を提供することにある。
【課題を解決するための手段】
【０００５】
本発明によれば、コード情報を画像化したコード画像を含む画像データから前記コード画像を判別する判別部と、
前記画像データを送信する送信部と、
前記コード画像が含まれていると判別されたとき、前記コード画像を送信先で復号可能に取得できるようにする所定の指示情報を前記送信先に通知する通知部と、を備えるファクシミリ装置が提供される。
【０００６】
この発明によれば、ＱＲコードなどのコード画像を送信先で復号可能に取得できるようにする所定の指示情報を送信先に通知することができるので、送信先では指示情報に従って動作することにより、コード画像が含まれた画像データの処理時に生じる不具合を回避でき、コード画像を確実に取得または適切に印字することが可能となり、コード画像からコード情報を正確に得ることができることとなる。また、コード情報を画像化したコード画像を含む画像データを送受信する際、ユーザはコード画像の有無を意識することなく画像データを送信できて操作性がよく、コード画像からコード情報を正確に復号できて信頼性も高い。
【０００７】
上記ファクシミリ装置において、前記指示情報は、前記画像データに前記コード画像が含まれていることを示す第１の情報を含むことができる。
【０００８】
この構成によれば、コード画像が含まれていることを送信先に通知することができるので、送信先ではコード画像を確実に取得または適切に印字することが可能となり、コード画像からコード情報を正確に得ることができることとなる。
【０００９】
上記ファクシミリ装置において、前記指示情報は、前記画像データは所定の画像処理が禁止であることを指示する第２の情報を含むことができる。
【００１０】
上記ファクシミリ装置において、前記指示情報は、前記画像データに含まれる前記コード画像の印字サイズを指示する第３の情報を含むことができる。
【００１１】
上記ファクシミリ装置において、前記画像データから前記コード画像を抽出する抽出部を備えることができ、前記判別部は、前記抽出部が前記コード画像を抽出したとき、前記コード画像が含まれていると判別することができる。
【００１２】
上記ファクシミリ装置において、コード情報を画像化してコード画像を生成し、前記画像データに埋め込む生成部をさらに備えることができ、前記判別部は、前記生成部が前記コード画像を前記画像データに埋め込んだとき、前記コード画像が含まれていると判別することができる。
【００１３】
本発明によれば、ファクシミリ装置から画像データを受信する画像データ受信部と、前記画像データに含まれるコード画像を復号可能に取得できるようにする所定の指示情報を受信する指示受信部と、前記指示情報に基づいて、前記画像データに含まれるコード画像を復号可能に取得する取得部と、を備えるファクシミリ装置が提供される。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、コード情報を画像化したコード画像を含む画像データを送受信する際、ユーザはコード画像の有無を意識することなく画像データを送信できて操作性がよく、受信したコード画像からコード情報を正確に復号できて信頼性も高いファクシミリ装置が提供される。
【発明を実施するための最良の形態】
【００１６】
以下、本発明の実施の形態について、図面を用いて説明する。尚、すべての図面において、同様な構成要素には同様の符号を付し、適宜説明を省略する。
【００１７】
図１は、本発明の実施の形態に係るファクシミリ装置の構成を示す機能ブロック図である。本実施形態のファクシミリ装置１００は、コード情報を画像化したコード画像を含む画像データからコード画像を判別する判別部１０７と、画像データを送信する送信部１１１と、コード画像が含まれていると判別されたとき、コード画像を送信先で復号可能に取得できるようにする所定の指示情報を送信先に通知する通知部１０９と、を備える。また、ファクシミリ装置２００は、ファクシミリ装置１００から画像データを受信する画像データ受信部２０３と、画像データに含まれるコード画像を復号可能に取得できるようにする所定の指示情報を受信する指示受信部２０１と、指示情報に基づいて、画像データに含まれるコード画像を復号可能に取得する取得部２０７と、を備える。
【００１８】
ファクシミリ装置１００およびファクシミリ装置２００は、公衆交換回線網（ＰＳＴＮ：Public Switched Telephone Networks）２０に接続されたＧ３ファクシミリ装置、ＬＡＮ（Local Area Network）やＷＡＮ（Wide Area Network）、インターネットなどのネットワーク（不図示）に接続されたＩＰファクシミリ装置、またはＰＳＴＮ２０およびネットワークの両方に接続された複合機（ＭＦＰ：Multi Functional Peripheral）などである。なお、図１において、本発明の本質に関わらない部分の構成については省略してある。
【００１９】
また、ファクシミリ装置１００およびファクシミリ装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２０】
詳細には、ファクシミリ装置１００は、送信指示受付部１０１と、読取部１０３と、画像データ記憶部１０５と、判別部１０７と、通知部１０９と、送信部１１１と、を備えている。
【００２１】
送信指示受付部１０１は、ファクシミリ装置１００の操作パネル（不図示）に設けられた操作部（不図示）を操作してユーザがファクシミリ送信またはＩＰファクシミリ送信（以後、特に区別を必要としない場合は、「ファクシミリ送信」とのみ記載する）を指示したことを受け付ける。
【００２２】
読取部１０３は、たとえばスキャナであり、送信指示受付部１０１が送信指示を受け付けると、自動原稿送り装置（不図示）にセットされた原稿などを読み取って得られた送信画像データを画像データ記憶部１０５に記憶する。あるいは、送信指示受付部１０１は、ファクシミリ送信する画像データのファイルの指定を受け付けることができる。表示部（不図示）にファイル一覧を表示し、その中からユーザにファクシミリ送信する送信画像データを選択させることもできる。読取部１０３は、選択された送信画像データを、ファクシミリ装置１００に内蔵または外部の記憶装置から読み込み、画像データ記憶部１０５に記憶することができる。画像データ記憶部１０５は、ファクシミリ装置１００が送信する送信画像データを記憶する。画像データは、たとえば、ＴＩＦＦやＪＰＥＧ、ＰＤＦ形式のファイルとすることができる。
【００２３】
判別部１０７は、画像データ記憶部１０５に格納された送信画像データに、コード情報を画像化したコード画像が含まれているか否かを判別する。判別部１０７は、たとえば、画像データを走査して、画像データからコード画像を抽出することができる。コード画像の抽出は、たとえば、コード画像に予め設けられている特徴となるパターン、例として、ファインダーパターンを検出することで行うことができる。判別部１０７は、コード画像が抽出されたとき、画像データにコード画像が含まれていると判別することができる。あるいは、図２に示すように、本実施形態のファクシミリ装置１００は、画像化するコード情報を受け付ける情報受付部１２１と、受け付けたコード情報を画像化してコード画像を生成する画像化部１２３と、画像データ記憶部１０５に記憶された送信画像データに画像化して生成したコード画像を合成して埋め込む合成部１２５と、をさらに備えることができ、コード画像が合成部１２５で送信画像データに合成されたとき、判別部１０７は、送信画像データにコード画像が含まれると判別することもできる。
【００２４】
図１に戻り、通知部１０９は、判別部１０７で送信画像データに画像化情報が含まれていると判別されたとき、画像データにコード画像が含まれていることを示す指示情報を送信先に通知する。通知部１０９は、たとえば、Ｇ３ファックス時には、ファクシミリ装置２００とＰＳＴＮ２０を介して能力交換を行い、ＮＳＳ（Nonstandard Facilities Setup）信号に指示情報を含めることができる。あるいは、ＩＰファックス時には、画像データを添付するメールのメールヘッダ、各パートのヘッダ、本文などに指示情報を含めることができる。
【００２５】
送信部１１１は、ＰＳＴＮ２０を介して送信画像データを送信先にファクシミリ送信する。図１では、ＰＳＴＮ２０を介してファクシミリ通信を行う構成のみ記載してあるが、上述したように、ネットワークを介してファクシミリ装置１００からメールに添付された画像データを送受信するＩＰファクシミリ通信を行う構成とすることもできる。
【００２６】
また、ファクシミリ装置２００は、指示受信部２０１と、画像データ受信部２０３と、画像データ記憶部２０５と、取得部２０７と、印字制御部２０９と、印字部２１１と、を備える。
【００２７】
指示受信部２０１は、ＰＳＴＮ２０を介してファクシミリ装置１００と能力交換を行い、ファクシミリ装置１００から送信されたＮＳＳ信号を受信し、信号から指示情報を抽出する。本実施形態において、指示受信部２０１は、ファクシミリ装置１００から画像データにコード画像が含まれるか否かを示す指示情報を受信する。指示受信部２０１は、受信した指示情報に指示された内容に従って、取得部２０７に指示を行う。
【００２８】
画像データ受信部２０３は、ＰＳＴＮ２０を介してファクシミリ装置１００から画像データを受信する。上述したように、図１では、ＰＳＴＮ２０を介してファクシミリ通信を行う構成のみ記載してあるが、ネットワークを介してファクシミリ装置１００からメールに添付された画像データを送受信するＩＰファクシミリ通信を行う構成とすることもできる。
【００２９】
画像データ記憶部２０５は、画像データ受信部２０３がファクシミリ装置１００から受信した画像データを記憶する。取得部２０７は、指示受信部２０１からの指示に従い、画像データからコード画像を復号可能に取得する、または取得できるように印字制御部２０９とともに処理を行う。具体的には、たとえば、取得部２０７は、指示受信部２０１が画像データにコード画像が含まれるという指示情報を受信したとき、画像データ記憶部２０５に記憶された画像データからコード画像を走査して抽出し、印字制御部２０９に受け渡し、画像データとは異なるページで印字させる。
【００３０】
印字制御部２０９は、画像データ記憶部２０５に記憶されている画像データのうちコード画像を除いた画像データを所定の画像処理、たとえば、拡大、縮小、スムージング、エッジ強調などの処理を行い、印字部２１１に印字させるとともに、取得部２０７が抽出したコード画像を前記画像処理を施さずにそのまま印字部２１１に印字させる。印字部２１１は、印字制御部２０９の制御により記録紙に画像データおよびコード画像を印字出力する。
【００３１】
このように構成された本実施形態のファクシミリ装置１００の動作について、以下に説明する。図３は、本実施形態のファクシミリ装置１００の動作の一例を示すフローチャートである。以下、図１および図３を用いて説明する。
【００３２】
はじめに、ユーザが操作部のファクシミリ送信ボタン（不図示）などを操作すると、図１の送信指示受付部１０１が送信指示を受け付ける（Ｓ１１）。そして、読取部１０３が原稿をスキャンし（Ｓ１３）、画像データを画像データ記憶部１０５に記憶する（Ｓ１５）。このとき、原稿には、コード画像が含まれているものとする。
【００３３】
判別部１０７は、画像データ記憶部１０５に格納された画像データにコード画像が含まれているか否かを判別する（Ｓ１７）。画像データにコード画像が含まれている場合（Ｓ１７のＹＥＳ）、通知部１０９は、送信先であるファクシミリ装置２００と能力交換を行い、ＮＳＳ信号に今から送信する送信画像データにコード画像が含まれているという指示情報を含めて送信する（Ｓ１９）。そして、送信部１１１が画像データ記憶部１０５に格納されている送信画像データをＰＳＴＮ２０を介してファクシミリ装置２００にファクシミリ送信する（Ｓ２１）。
【００３４】
ファクシミリ装置２００では、上述したように、指示受信部２０１がファクシミリ装置１００とＰＳＴＮ２０を介して能力交換を行い、ＮＳＳ信号を受信する。そして画像データ受信部２０３が画像データをファクシミリ装置１００から受信し、画像データ記憶部２０５に格納する。指示受信部２０１が受信したＮＳＳ信号から画像データにコード画像が含まれているという指示情報を検出し、取得部２０７に通知する。取得部２０７は、指示受信部２０１からの通知に従って、画像データ記憶部２０５に記憶されている受信画像データからコード画像を走査して抽出し、印字制御部２０９に受け渡す。印字制御部２０９は、取得部２０７から受け取ったコード画像は画像処理を施さず、画像データ記憶部２０５から読み込んだコード画像を除いた画像データを画像処理を施して、印字部２１１に印字出力させる。なお、画像処理する画像データからはコード画像を除去せずに、含んだままでもよい。
【００３５】
このように、ファクシミリ装置１００において、送信画像データにコード画像が含まれていることを判別したとき、画像データにコード画像が含まれていることを示す指示情報をファクシミリ装置２００に通知するので、ファクシミリ装置２００では、コード画像には縮小などの画像処理を施さずに異なるページに印字出力することが可能となり、コード画像の画質の低下を防ぎ、コード画像に含まれるコード情報を正確に復号することが可能となる。
【００３６】
以上説明したように、本実施形態のファクシミリ装置１００によれば、コード画像の画質の品質を保持し、コード画像に含まれるコード情報を正確に復号することが可能となり、信頼性が向上する。
【００３７】
以上、図面を参照して本発明の実施形態について述べたが、これらは本発明の例示であり、上記以外の様々な構成を採用することもできる。
【００３８】
たとえば、ファクシミリ装置１００において、判別部１０７が画像データにコード画像が含まれていると判別したとき、通知部１０９は、送信画像データは所定の画像処理が禁止であることを指示する指示情報を送信先のファクシミリ装置２００に通知することができる。所定の画像処理とは、拡大、縮小、スムージング、エッジ強調などの処理を含む。このとき、ファクシミリ装置２００において、指示受信部２０１は画像データが所定の画像処理が禁止であることを指示する指示情報を受信し、取得部２０７に受信した画像データに所定の画像処理を施すことを禁止させ、印字制御部２０９が画像処理を施さずに画像データを印字部２１１に印字出力させることができる。
【００３９】
また、ファクシミリ装置１００において、判別部１０７が画像データにコード画像が含まれていると判別したとき、通知部１０９は、送信画像データに含まれるコード画像の印字サイズを指示する指示情報を送信先のファクシミリ装置２００に通知することができる。このとき、ファクシミリ装置２００において、指示受信部２０１は画像データにコード画像の印字サイズを指示する指示情報を受信し、取得部２０７に受信した画像データに含まれるコード画像を取得させ、印字制御部２０９が指示情報で指示された印字サイズで印字部２１１に印字出力させることができる。
【００４０】
さらに、ファクシミリ装置２００において、ファクシミリ装置１００から指示受信部２０１が指示情報を受信し、指示情報が、画像データにコード画像を含むことを示す場合、あるいは、画像データへの画像処理を禁止する指示を含む場合、取得部２０７は、印字制御部２０９に画像データ記憶部２０５の画像データに画像処理を施さずに送信部１１１に印字出力させる構成とすることができる。
【００４１】
あるいは、ファクシミリ装置２００において、ファクシミリ装置１００から指示受信部２０１が指示情報を受信し、画像データへの画像処理を禁止する指示を含む場合、取得部２０７は、画像データ記憶部２０５から読み出した画像データからコード画像を抽出し、印字制御部２０９にコード画像は画像処理を施さずに、画像データとは異なるページで印字出力させることができる。
【００４２】
また、ファクシミリ装置２００において、さらに、取得部２０７が取得したコード画像を復号する復号部（不図示）を設けることもできる。ファクシミリ装置１００から指示受信部２０１が指示情報を受信し、指示情報が、画像データにコード画像を含むことを示す場合、復号部が取得部２０７が取得したコード画像を復号して、コード情報を抽出し、印字制御部２０９に印字処理させることができる。復号されたコード情報は、画像データまたはコード画像とは異なるページに印字してもよいし、同じページの余白に印字することもできる。
【００４３】
さらに、ファクシミリ装置２００において、復号部が復号したコード情報を所定の宛先に転送する転送部（不図示）をさらに設けることもできる。転送部は、たとえば、予め登録されている宛先に、ＰＳＴＮを介してコード情報をファクシミリ送信してもよいし、ネットワークを介してメール送信やファイル転送してもよい。宛先は、ファクシミリ装置、ＩＰファクシミリ装置、複合機、あるいは、ＰＣ（Personal Computer）、ネットワーク上の記憶装置の共有フォルダであってもよい。
【００４４】
さらに、ファクシミリ装置２００において、コード画像または復号されたコード情報を記憶し、画像データの受信記録にコード画像の有無を記録する通信履歴記録部（不図示）をさらに設けることができ、受信記録からコード画像を印字可能とすることもできる。
【００４５】
また、ファクシミリ装置２００において、転送部が、通信履歴記憶部に記録された受信記録から選択されたコード画像またはそのコード画像を復号して得られたコード情報を所定の宛先に転送することもできる。
【図面の簡単な説明】
【００４６】
【図１】本発明の実施の形態に係るファクシミリ装置の構成を示す機能ブロック図である。
【図２】本発明の実施の形態に係るファクシミリ装置のコード画像生成処理機能の構成を示す機能ブロック図である。
【図３】図１のファクシミリ装置の動作の一例を示すフローチャートである。
【符号の説明】
【００４７】
２０  ＰＳＴＮ
１００  ファクシミリ装置
１０１  送信指示受付部
１０３  読取部
１０５  画像データ記憶部
１０７  判別部
１０９  通知部
１１１  送信部
１２１  情報受付部
１２３  画像化部
１２５  合成部
２００  ファクシミリ装置
２０１  指示受信部
２０３  画像データ受信部
２０５  画像データ記憶部
２０７  取得部
２０９  印字制御部
２１１  印字部
【図１】
2008294709.tif 000003
【図２】
2008294709.tif 000004
【図３】
2008294709.tif 000005